(57)【要約】【課題】水質の良好な利水を得ることができる雨水貯留利水システムを提供する。【解決手段】立管４０の管壁に、雨水流入口４２ａ、雨水流出抑制槽２０Ａに連通する雨水流出抑制槽連通口４３ｂ、及び、利水槽３０に連通する利水槽連通口４２ｂとを設け、該立管４０における該雨水流入口４２ａ、該雨水流出抑制槽連通口４３ｂ、及び、該利水槽連通口４２ｂの各下端の互いの相対的な高さが、低い方から順に、該雨水流出抑制槽連通口４３ｂ、該利水槽連通口４２ｂ、該雨水流入口４２ａとなるように設定し、該雨水流入口４２ａを介して立管４０内に流入した雨水が、該雨水流出抑制槽２０Ａへ導かれた後、該雨水流出抑制槽２０Ａが貯留限界を超えた状態になると、該立管４０内に流入した雨水が前記利水槽３０へ導入され始めるようにした。【選択図】図１
2014114564.tif 000002
【特許請求の範囲】
【請求項１】
雨水を利水用として蓄えることができる利水槽を備えた雨水貯留利水システムであって、
雨水を一時的に貯留し、一時貯留した雨水を排水先に排水することができる雨水流出抑制槽と、
雨水流入口が管壁に設けられた立管と、を備え、
さらに該立管の管壁には、前記雨水流出抑制槽に連通する雨水流出抑制槽連通口と、前記利水槽に連通する利水槽連通口と、が設けられており、
該立管における該雨水流入口、該雨水流出抑制槽連通口、及び、該利水槽連通口の各下端の互いの相対的な高さが、低い方から順に、該雨水流出抑制槽連通口、該利水槽連通口、該雨水流入口となるように設定されており、
該雨水流入口を介して該立管内に流入した雨水が該雨水流出抑制槽連通口を介して該雨水流出抑制槽へ導かれ、該雨水流出抑制槽が貯留限界を超えた状態になると、該立管内に流入した雨水が、該利水槽連通口を介して前記利水槽へ導入され始める
ことを特徴とする雨水貯留利水システム。
【請求項２】
前記雨水流出抑制槽が、雨水を一時貯留して排水先である地中に浸透させることができる浸透槽である請求項１に記載の雨水貯留利水システム。
【請求項３】
前記雨水流出抑制槽が、雨水を一時貯留し、一時貯留した雨水を排水先である雨水排出管に排水することができる貯留槽である請求項１に記載の雨水貯留利水システム。
【請求項４】
前記立管の管壁に、前記雨水流出抑制槽連通口の下端より低い位置に下端が設定された雨水排出口が設けられ、該雨水排出口を介して該立管と、雨水が排出される雨水排出管とが接続されており、該立管に流入した雨水は先ず該雨水排出口を介して該雨水排出管へ排出される構成であって、
該立管内における該雨水排出口には、該雨水排出管内に向かう雨水の流量を抑制する流量抑制手段が配設されている請求項３に記載の雨水貯留利水システム。
【請求項５】
前記立管の下部には、泥溜め部が設けられている請求項１乃至請求項４のいずれか１項に記載の雨水貯留利水システム。
【請求項６】
前記立管が、立管本体と、該立管本体の上端に取り付けられた上側ますと、該立管本体の下端に取り付けられた下側ますと、からなり、
該上側ますに、前記雨水流入口と、前記利水槽連通口とが設けられ、
該下側ますに、前記雨水流出抑制槽連通口が設けられている
請求項１乃至請求項５のいずれか１項に記載の雨水貯留利水システム。
【請求項７】
前記立管内において前記利水槽連通口には、該利水槽連通口に流入する雨水を、該立管内に蓄積されている雨水に限定する雨水流入方向限定手段が設けられている請求項１乃至請求項６のいずれか１項に記載の雨水貯留利水システム。
【請求項８】
雨水を利水用として蓄えることができる利水槽を備えた雨水貯留利水システムであって、
雨水を一時的に貯留し、一時貯留した雨水を排水先に排水することができる雨水流出抑制槽と、
雨水流入口が管壁に設けられた第１立管と、を備え、
さらに該第１立管における該雨水流入口より下方の管壁には、前記雨水流出抑制槽に連通する第１雨水流出抑制槽連通口が設けられており、
さらに、該雨水流出抑制槽に連通する第２雨水流出抑制槽連通口と、前記利水槽に連通する利水槽連通口とが管壁に設けられた第２立管を備え、
該第２立管における該第２雨水流出抑制槽連通口、及び、該利水槽連通口の各下端の互いの相対的な高さが、低い方から順に、該第２雨水流出抑制槽連通口、該利水槽連通口となるように設定されており、
該雨水流入口を介して該第１立管内に流入した雨水が、該第１雨水流出抑制槽連通口を介して該雨水流出抑制槽へ導かれ、該雨水流出抑制槽が貯留限界を超えた状態になると、該第２雨水流出抑制槽連通口を介して該第２立管内に流入した雨水が、該利水槽連通口を介して前記利水槽へ導入され始める
ことを特徴とする雨水貯留利水システム。
【請求項９】
前記利水槽は、前記雨水流出抑制槽の上方に配置されている
請求項１乃至請求項８のいずれか１項に記載の雨水貯留利水システム。
【発明の詳細な説明】
【技術分野】
【０００１】
本発明は、雨水を利水用として蓄えることができる利水槽を備えた雨水貯留利水システムに関する。
【背景技術】
【０００２】
従来、雨水を蓄えることができる槽を備えた施設は既に開示されている（例えば、特許文献１，２参照。）。
【０００３】
上記特許文献１に開示された構成は、流路切換手段を介して浸透槽と貯留槽とが接続されており、流入した初期雨水を先ず該貯留槽に導き、貯留量が一定となったら、該流路切換手段によってその後の雨水を浸透槽へ導くものである。
【０００４】
また、特許文献２に開示された構成は、貯留槽と浸透槽とに接続される管理桝を備えている。そして、該管理桝を介して先ず優先的に貯留槽へ雨水が流入する構成となっている。また、該管理桝には、雨水に含まれる土砂やごみの固形物を分離するための沈砂部が形成されている。
【先行技術文献】
【特許文献】
【０００５】
【特許文献１】特開２００５−０４８５０９号公報
【特許文献２】特開２０１１−２４７０２４号公報
【発明の概要】
【発明が解決しようとする課題】
【０００６】
しかしながら、上記特許文献１にかかる構成は、貯留槽又は浸透槽の底部に堆積した砂泥等の異物が利水に含まれてしまう問題がある。さらに、流路切換手段を、条件の異なる設置現場に合わせてそれぞれ専用に製造する必要があるため、汎用性に欠けるという問題もある。
【０００７】
上記特許文献２にかかる構成も、貯留槽に流入する雨水に含まれる懸濁物のような小さな固形物を十分除去できず、貯留される雨水の水質に問題がある。
【０００８】
そこで本発明は、利水槽を備え、雨水に含まれるフィルター等では除去できない砂泥等を適切に除去して雨水を利用水として蓄えることができる雨水貯留利水システムを提供することを目的とする。
【課題を解決するための手段】
【０００９】
本発明は、雨水を利水用として蓄えることができる利水槽を備えた雨水貯留利水システムであって、雨水を一時的に貯留し、一時貯留した雨水を排水先に排水することができる雨水流出抑制槽と、雨水流入口が管壁に設けられた立管と、を備え、さらに該立管の管壁には、前記雨水流出抑制槽に連通する雨水流出抑制槽連通口と、前記利水槽に連通する利水槽連通口と、が設けられており、該立管における該雨水流入口、該雨水流出抑制槽連通口、及び、該利水槽連通口の各下端の互いの相対的な高さが、低い方から順に、該雨水流出抑制槽連通口、該利水槽連通口、該雨水流入口となるように設定されており、該雨水流入口を介して該立管内に流入した雨水が該雨水流出抑制槽連通口を介して該雨水流出抑制槽へ導かれ、該雨水流出抑制槽が貯留限界を超えた状態になると、該立管内に流入した雨水が、該利水槽連通口を介して前記利水槽へ導入され始めることを特徴とする雨水貯留利水システムである。
【００１０】
上記構成は、前記利水槽連通口の下端が雨水流出抑制槽連通口の下端より相対的に高い位置に配されているため、通常時の場合、前記立管内に流入した雨水は、先ず前記雨水流出抑制槽へ優先的に流入し、該雨水流出抑制槽から順次排水先へ排水されていく。一方、大雨や集中豪雨等により、該立管内へ流入する雨水の流量が増え、該雨水流出抑制槽が貯留限界になると、これに伴い該立管内の水位は上昇していく。そして、該水位が前記利水槽連通口に到達すると、該立管内の雨水が利水槽へ導入され始める。ここで、立管内の雨水は、該立管内の水位が上昇する過程でしばらくの間、該立管内に蓄積された状態となり、該雨水に含まれる砂泥等が沈降する時間が得られる。このため、利水槽に導入される雨水の大部分は、砂泥等が取り除かれた比較的良好な水質の上澄みとなる。このため、本雨水貯留利水システムは、比較的良好な水質の利水が得られる利点がある。また、上記構成は、雨水流出抑制槽が貯留限界に達しても、そこからさらに利水槽の容積、及び立管の残りの容積分だけ、さらに雨水を許容できるため、システム全体としてオーバーフローしにくい利点がある。なお、前記立管における雨水流入口の下端は、前記利水槽連通口の下端より相対的に高い位置に配されているため、立管内の水位が上昇して雨水が利水槽に導入される場合であっても、該雨水流入口を介して雨水が上流側に逆流してしまうことが防止される。
【００１１】
前記雨水流出抑制槽は、雨水を一時貯留して排水先である地中に浸透させることができる浸透槽であってもよいし、雨水を一時貯留し、一時貯留した雨水を排水先である雨水排出管に排水することができる貯留槽であってもよい。
【００１２】
前記雨水流出抑制槽が、貯留槽である場合、前記立管の管壁に、前記雨水流出抑制槽連通口の下端より低い位置に下端が設定された雨水排出口が設けられ、該雨水排出口を介して該立管と、雨水が排出される雨水排出管とが接続されており、該立管に流入した雨水は先ず該雨水排出口を介して該雨水排出管へ排出される構成であって、該立管内における該雨水排出口には、該雨水排出管内に向かう雨水の流量を抑制する流量抑制手段が配設されている構成が提案される。
【００１３】
上記構成にあって、前記立管内に流入した雨水は、該立管内を流下し、先ず雨水排出口に向かうところ、前記雨水排出口には前記流量抑制手段が配設されているため、該雨水排出口において排出しきれない雨水が該立管内に滞留する状態が発生する。そして、該滞留した雨水の量が多くなり、その水位が雨水流出抑制槽連通口に到達すると、該雨水が雨水流出抑制槽、すなわち貯留槽へ導入され始める。すなわち、該流量抑制手段を配設することにより、該立管内に流入した雨水を、雨水排出管へ排出しつつ雨水流出抑制槽へも導入することが可能となる。また、このように雨水排出口から排出される雨水の流量が抑制されることにより、該立管内に雨水が溜まりやすくなり、好適に利水槽へ雨水を導入することが可能となる。なお、前記雨水流出抑制槽が浸透槽の場合は、該浸透槽から地中へ向けて雨水が徐々に排出されると共に、余剰分の雨水が該浸透槽内に溜まっていくことになる。
【００１４】
また、前記立管の下部には、泥溜め部が設けられていることが望ましい。
【００１５】
前記立管内においては、上述のように雨水流出抑制槽が貯留限界となって水位上昇する過程で、雨水に含まれる砂泥等が沈降するため、該立管の下部に泥溜め部を配置することにより、該砂泥等を好適に受け止め、一箇所に溜めておくことが可能となる。これにより、該立管内における砂泥等の拡散を防止でき、また該砂泥等の回収や廃棄のメンテンナス作業が容易となる。
【００１６】
また、前記立管が、立管本体と、該立管本体の上端に取り付けられた上側ますと、該立管本体の下端に取り付けられた下側ますと、からなり、該上側ますに、前記雨水流入口と、前記利水槽連通口とが設けられ、該下側ますに、前記雨水流出抑制槽連通口が設けられている構成が望ましい。
【００１７】
上記構成とすることにより、前記立管を構成する際に、従来から使用されている汎用品をそのまま適用できるため、施工コストを低く抑えることができ、また施工しやすい利点がある。
【００１８】
また、前記立管内において前記利水槽連通口には、該利水槽連通口に流入する雨水を、該立管内に蓄積されている雨水に限定する雨水流入方向限定手段が設けられている構成が提案される。
【００１９】
仮に前記雨水流入口に対して前記利水槽連通口がほぼ正面に対置されていた場合、該雨水流入口から勢いよく流れ込んだ雨水が即、該利水槽連通口に直接入ってしまって該立管内において砂泥等が十分に沈降する時間が確保できなくなるおそれがある。そこで、前記雨水流入方向限定手段によって該利水槽連通口に流入しようとする雨水を、該立管の下方から蓄積された雨水に限定することにより、雨水に含まれる砂泥等の沈降が十分に行われるための時間を確保することが可能となる。
【００２０】
また、本発明は、雨水を利水用として蓄えることができる利水槽を備えた雨水貯留利水システムであって、雨水を一時的に貯留し、一時貯留した雨水を排水先に排水することができる雨水流出抑制槽と、雨水流入口が管壁に設けられた第１立管と、を備え、さらに該第１立管における該雨水流入口より下方の管壁には、前記雨水流出抑制槽に連通する第１雨水流出抑制槽連通口が設けられており、さらに、該雨水流出抑制槽に連通する第２雨水流出抑制槽連通口と、前記利水槽に連通する利水槽連通口とが管壁に設けられた第２立管を備え、該第２立管における該第２雨水流出抑制槽連通口、及び、該利水槽連通口の各下端の互いの相対的な高さが、低い方から順に、該第２雨水流出抑制槽連通口、該利水槽連通口となるように設定されており、該雨水流入口を介して該第１立管内に流入した雨水が、該第１雨水流出抑制槽連通口を介して該雨水流出抑制槽へ導かれ、該雨水流出抑制槽が貯留限界を超えた状態になると、該第２雨水流出抑制槽連通口を介して該第２立管内に流入した雨水が、該利水槽連通口を介して前記利水槽へ導入され始めることを特徴とする雨水貯留利水システムである。
【００２１】
上記構成にあって、通常時の場合、前記第１立管内に流入した雨水は、該第１立管内を流下して前記雨水流出抑制槽へ流入し、該雨水流出抑制槽から順次排水先へ排水される。一方、大雨や集中豪雨等により、該第１立管内へ流入する雨水の流量が増え、該雨水流出抑制槽が貯留限界になると、これに伴い、該第１立管に加えて、前記第２立管内の水位も上昇していく。そして、該第２立管内の水位が前記利水槽連通口に到達すると、該第２立管内の雨水が利水槽へ導入され始める。ここで、利水槽連通口の下端が、第２雨水流出抑制槽連通口の下端より相対的に高い位置に配されているため、利水槽に導入される雨水の大部分は、該第２立管内の水位が上昇する過程で砂泥等が沈降した比較的水質の良い上澄みとなる。このため、本雨水貯留利水システムは、比較的良好な水質の利水が得られる利点がある。また、雨水流出抑制槽が貯留限界に達したとしても、そこからさらに利水槽の容積、並びに、第１立管及び第２立管における残りの容積分だけ、さらに雨水を許容できるため、システム全体としてオーバーフローしにくい利点がある。
【００２２】
また、これまでに述べた構成にあって、前記利水槽は、前記雨水流出抑制槽の上方に配置されていることが望ましい。
【００２３】
前記利水槽を前記雨水流出抑制槽の上方に設けて縦方向に両槽を並置することによって、狭小なスペースにおいても両槽を配設することができる。
【発明の効果】
【００２４】
本発明にかかる雨水貯留利水システムは、良好な水質の雨水を利水槽に導入することができる優れた効果がある。
【図面の簡単な説明】
【００２５】
【図１】実施例１にかかる雨水貯留利水システムを示す説明図。
【図２】立管内の雨水の流れを示す説明図であり、（ａ）は通常時を示し、（ｂ）は雨水流出抑制槽の貯留限界時を示し、（ｃ）は利水槽への雨水導入時を示す。
【図３】実施例２にかかる雨水貯留利水システムを示す説明図。
【図４】立管内の雨水の流れを示す説明図であり、（ａ）は雨水流出抑制槽の貯留限界時を示し、（ｂ）は利水槽への雨水導入時を示す。
【発明を実施するための形態】
【００２６】
以下、本発明の雨水貯留利水システムを具体化した実施例を詳細に説明する。なお、本発明は、下記に示す実施例に限定されることはなく、適宜設計変更が可能である。
【００２７】
〔実施例１〕
図１に示すように、雨水貯留利水システム１Ａは、雨水を一時貯留して排水先である地中に浸透させることができる浸透槽で構成された雨水流出抑制槽２０Ａと、雨水を利水用として蓄えることができる利水槽３０とを備えている。なお、前記利水槽３０は、前記雨水流出抑制槽２０Ａの上方に配置されており、該利水槽３０の上面に設けられた点検口３１が地表面に配されている。該雨水流出抑制槽２０Ａを構成する浸透槽及び該利水槽３０としては、公知のものが好適に適用される。
【００２８】
また、前記雨水貯留利水システム１Ａは、雨水流出抑制槽２０Ａと利水槽３０とにそれぞれ連通する立管４０を備えている。さらに詳述すると、該立管４０は、鉛直方向に沿って配置される直管形状の立管本体４１と、該立管本体４１の上端に取り付けられる上側ます４２と、該立管本体４１の下端に取り付けられる下側ます４３とを有している。
【００２９】
前記上側ます４２は、上端にます蓋４６が取り付けられており、該ます蓋４６は地表面に配されている。該ます蓋４６が設けられることにより、該ます蓋４６を介して立管４０内の維持管理作業が行いやすくなる。
【００３０】
また、前記上側ます４２の側壁（すなわち立管４０の管壁）には、雨水流入口４２ａが設けられている。さらに、該上側ます４２の側壁には、該雨水流入口４２ａの下端より相対的に低い位置に下端が設定された利水槽連通口４２ｂが設けられている。
【００３１】
前記上側ます４２における前記雨水流入口４２ａには、建物等（図示省略）からの雨水が流れる雨水流入管４７の下流側の管端が接続されている。なお、該雨水流入管４７における該上側ます４２の上流側には、枯葉等の夾雑物を除去するフィルター４４ａを具備する雨水フィルターます４４が配設されている。
【００３２】
一方、前記上側ます４２における前記利水槽連通口４２ｂには、前記利水槽３０に形成された流入口３２に接続される第１中継管５１の上流側管端が接続され、これにより該立管４０内と該利水槽３０内とが連通している。なお、該立管４０内における利水槽連通口４２ｂには、一方の管端が下方に向けられたエルボ管（雨水流入方向限定手段）４２ｃの他方の管端が接続されている。該エルボ管４２ｃが接続されることにより、該利水槽連通口４２ｂに流入しようとする雨水の方向が限定され、該利水槽３０へ導かれる雨水は、立管４０の下方から蓄積された雨水のみに制限される。すなわち、仮に前記雨水流入口４２ａに対して該利水槽連通口４２ｂがほぼ正面に対置されたままであると、該雨水流入口４２ａから勢いよく流れ込んだ雨水が即、該利水槽連通口４２ｂに直接入ってしまい、該立管４０内で砂泥等が十分に沈降する時間が確保できなくなるおそれがある。そこで、雨水に含まれる砂泥等の沈降が十分に行われるための時間を一定以上確保すべく、上述した向きでエルボ管４２ｃが配設されている。
【００３３】
さらに、前記下側ます４３の側壁（すなわち立管４０の管壁）には、雨水流出抑制槽連通口４３ｂが設けられている。また、該下側ます４３の下部には、砂泥等を溜めるための泥溜め部４５が形成されている。なお、該泥溜め部４５は、既に良く知られている着脱自在なバケット等の周知部材が採用される。
【００３４】
前記下側ます４３における前記雨水流出抑制槽連通口４３ｂには、雨水流出抑制槽２０Ａに形成された流入口２１に接続される第２中継管５２の上流側管端が接続され、これにより該立管４０と該雨水流出抑制槽２０Ａとが連通している。
【００３５】
上記構成にあって、通常時の場合、雨水フィルターます４４のフィルター４４ａによって夾雑物等が除去された雨水は、雨水流入管４７を通り、前記雨水流入口４２ａを介して立管４０内に流入する。そして、該雨水が、図２ａに示すように、該立管４０内を流下する。
【００３６】
そして、下側ます４３に滞留した雨水の一部が、雨水流出抑制槽連通口４３ｂを介して雨水流出抑制槽２０Ａへ導入され始める。そして、該雨水は該雨水流出抑制槽２０Ａから徐々に地中に浸透していく。
【００３７】
一方、大雨や集中豪雨等により、前記立管４０内へ流入する雨水の流量が増え、前記雨水流出抑制槽２０Ａが貯留限界になると、図２ｂに示すように、該立管４０内の水位は徐々に上昇していく。そして、図２ｃに示すように、該水位が該立管４０の前記利水槽連通口４２ｂに到達すると、該立管４０内の雨水が利水槽３０へ導入され始める。
【００３８】
ここで、前記利水槽３０に導入される雨水の大部分は、該立管４０内の水位が上昇する過程でしばらくの間、該立管４０内に蓄積されており、この間に該雨水に含まれる砂泥等が沈降している。更に、上記したように、前記エルボ管４２ｃの管端が下方に向けられているため、雨水は該立管４０内に導入されてから一定の時間が経過した後に利水槽連通口４２ｂを通過し、該利水槽３０に導入される。このため、該利水槽３０に雨水が導入される際には砂泥等が取り除かれた比較的良好な水質となっている。
【００３９】
なお、前記立管４０内で沈降する砂泥等は、前記下側ます４３の泥溜め部４５に順次溜まり、該下側ます４３のメンテナンス作業時に容易に回収することができる。このように、該立管４０を構成する部材として、周知のますを利用することにより、メンテナンス作業が容易になると共に、該立管４０の施工コストを低く抑えることが可能になる。
【００４０】
ところで、図２等に示すように、前記立管４０における雨水流入口４２ａの下端は、前記利水槽連通口４２ｂの下端より相対的に高い位置に配されている。このため、該立管４０内の水位が上昇して利水槽３０へ雨水が導入される際に、該雨水流入口４２ａを介して雨水が上流側へ逆流してしまう、ことがない。
【００４１】
また、上述の雨水貯留利水システム１Ａは、前記利水槽３０を前記雨水流出抑制槽２０Ａの上方に設け、縦方向に両槽を並置しているため、狭小なスペースにおいても両槽を配設することができる。ただし、前記利水槽３０と前記雨水流出抑制槽２０Ａとを横方向に並置した構成も本発明に含まれるものとする。
【００４２】
〔実施例２〕
以下、実施例２の雨水貯留利水システム１Ｂを図３等に従って説明するが、実施例１と共通する部分については説明を簡略又は省略し、図中では同じ符号を付すこととする。
【００４３】
図３に示すように、雨水貯留利水システム１Ｂは、第１立管６１と、第２立管６２とを備えている。
【００４４】
前記第１立管６１の管壁には、雨水流入口６１ａと第１雨水流出抑制槽連通口６１ｂと雨水排出口４３ａとが設けられている。ここで、該雨水流入口６１ａの下端は、該第１雨水流出抑制槽連通口６１ｂの下端より相対的に高い位置に設定される。また、該雨水排出口４３ａには、雨水を排出するための雨水排出管５０の上流側の管端が接続されている。さらに、該雨水排出口４３ａには、該雨水排出管５０に向かう雨水の流量を抑制する流量抑制手段としてのオリフィス４３ｃが接続されている。なお、前記雨水流出抑制槽連通口６１ｂの下端は、該雨水排出口４３ａの下端より相対的に高い位置に設定されている。
【００４５】
また、前記第１雨水流出抑制槽連通口６１ｂと、貯留槽で構成される雨水流出抑制槽２０Ｂに形成された流入口２１とが第２中継管５２を介して接続されている。なお、該第１立管６１は、実施例１の立管４０と同様に、上側ます、立管本体、及び下側ますで構成されることが施工コストの観点から望ましい。なお、雨水流出抑制槽２０Ｂを構成する貯留槽は、雨水を一時貯留し、一時貯留した雨水を排水先である雨水排出管（図示省略）に適宜排水することができるもので、好適に公知のものが使用できる。
【００４６】
また、前記第２立管６２の管壁には、第２雨水流出抑制槽連通口６４ａと利水槽連通口６５ａとが設けられている。ここで、該第２雨水流出抑制槽連通口６４ａの下端は、該利水槽連通口６５ａの下端より相対的に低い高さに設定されている。
【００４７】
また、前記第２雨水流出抑制槽連通口６４ａが、前記雨水流出抑制槽２０Ｂに形成された流出口２２に、第３中継管６６を介して接続されている。さらに、前記利水槽連通口６５ａが、前記利水槽３０の流入口３２に第１中継管５１を介して接続されている。なお、該第２立管６２は、実施例１の立管４０と同様に、上側ます６５、立管本体６３、及び下側ます６４で構成されることが施工コストの観点から望ましい。
【００４８】
上記構成にあって、通常時の場合、前記第１立管６１内に流入した雨水は、実施例１と同様に該第１立管６１内を流下する。そして、第１立管６１の下端の雨水排出口４３ａを介して雨水が雨水排出管５０へ流入する。ここで、上述のように、該雨水排出口４３ａにはオリフィス４３ｃが取り付けられており、前記雨水排出管５０へ向かう雨水の流量が制限されているため、第１立管６１の下端に滞留した雨水の一部が、雨水流出抑制槽連通口６１ｂを介して雨水流出抑制槽２０Ｂへ導入され始める。そして、該雨水流出抑制槽２０Ｂに一時的に雨水が蓄えられる。
【００４９】
一方、大雨や集中豪雨等により、該第１立管６１内へ流入する雨水の流量が増え、該雨水流出抑制槽２０Ｂが貯留限界になり、さらに雨水が第１立管６１内に継続的に流入すると、図４ａに示すように、これに伴い第２立管６２内の水位が上昇していく。そして、図４ｂに示すように、該水位が前記利水槽連通口６５ａに到達すると、該第２立管６２内の雨水が利水槽３０へ導入され始める。
【００５０】
ここで、前記第２立管６２における前記利水槽連通口６５ａの下端が、前記第２雨水流出抑制槽連通口６４ａの下端より相対的に高い位置に配されているため、前記利水槽３０に導入される雨水の大部分は、該第２立管６２内の水位が上昇する過程で雨水に含まれる砂泥等が沈降し、比較的良好な水質となる。なお、前記第１立管６１における雨水流入口６１ａでの逆流防止のため、前記利水槽連通口６５ａの下端は、前記第１立管６１における雨水流入口６１ａの下端より相対的に低い位置に設定されることが望ましい。
【００５１】
本発明は、上述した実施例１，２に限定されることはなく、適宜設計変更可能である。例えば、立管４０又は第２立管６２に泥溜め部４５を設けられていなくてもよい。また、実施例２において、流量抑制手段としてのオリフィス４３ｃは、他の部材が採用されてもよい。また、実施例２において、前記第２立管６２が前記第１立管６１内に配置されていてもよい。また、実施例２において、前記第１立管６１に雨水排出口４３ａが設けられているが、第２立管６２に設けられていてもよいし、両方の立管６１，６２に設けられていてもよい。また、実施例２において、雨水流出抑制槽２０Ｂは、浸透槽で構成される雨水流出抑制槽２０Ａであってもよいし、実施例１において、雨水流出抑制槽２０Ａは、貯留槽で構成される雨水流出抑制槽２０Ｂであっても勿論よい。
【符号の説明】
【００５２】
１Ａ，１Ｂ      雨水貯留浸透利水システム
２０Ａ            雨水流出抑制槽（浸透槽）
２０Ｂ            雨水流出抑制槽（貯留槽）
３０            利水槽
４０            立管
４１            立管本体
４２            上側ます
４２ａ，６１ａ  雨水流入口
４２ｂ，６５ａ  利水槽連通口
４２ｃ          エルボ管（雨水流入方向限定手段）
４３            下側ます
４３ａ          雨水排出口
４３ｂ          雨水流出抑制槽連通口
４３ｃ          オリフィス（流量抑制手段）
４５            泥溜め部
５０            雨水排出管
６１            第１立管
６１ｂ          第１雨水流出抑制槽連通口
６２            第２立管
６４ａ          第２雨水流出抑制槽連通口
【図１】
2014114564.tif 000003
【図２】
2014114564.tif 000004
【図３】
2014114564.tif 000005
【図４】
2014114564.tif 000006